(57)【要約】【課題】長期間に亘って遊技球が返し部材に衝突し続けた場合でも、返し部材と対向する障害釘の損傷を効果的に防止することができるパチンコ機を提供する。【解決手段】パチンコ機は、発射装置によって打ち込まれた遊技球を遊技領域の上方へ導くためのガイドレール８が遊技盤４に設置されており、そのガイドレール８の先端縁際には、打ち込まれた遊技球をはね返すための返し部材１１が設置されている。当該返し部材１１は、遊技球衝突面１６に、水平なＶ字状の溝１７を設けることによって凹凸が形成されており、高さ方向の中央よりやや下側には係止孔１２が貫設されている。一方、遊技盤４の返し部材１１の設置位置には、断面十字状の柱状タブ２２が突設されている。そして、返し部材１１は、係止孔１２に柱状タブ２２を挿通させた状態で遊技盤４に設置されている。【選択図】図３
2009131498.tif 000002
【特許請求の範囲】
【請求項１】
発射装置によって打ち込まれた遊技球を遊技領域の上方へ導くためのガイドレールが遊技盤に設置されているとともに、打ち込まれた遊技球をはね返すための返し部材が、前記ガイドレールの先端縁際に設置されたパチンコ機であって、
前記返し部材が、表面から裏面へ貫通した円柱状の係止孔を設けたものであり、その係止孔に、前記遊技盤に対して直交するように設けられた柱状ボスを挿通させた状態で設置されているとともに、
前記返し部材の遊技球衝突面に凹凸が形成されていることを特徴とするパチンコ機。
【請求項２】
前記凹凸が、前記返し部材の遊技球衝突面に水平なＶ字状あるいはＵ字状の溝を設けることによって形成されていることを特徴とする請求項１に記載のパチンコ機。
【請求項３】
前記凹凸が、前記返し部材の本体に複数の棒状突起体を植設することによって形成されていることを特徴とする請求項１に記載のパチンコ機。
【発明の詳細な説明】
【技術分野】
【０００１】
本発明は、パチンコ機に関するものである。
【背景技術】
【０００２】
通常のパチンコ機は、発射装置によって打ち込まれた遊技球を遊技領域の上方へ導くためのガイドレールが遊技盤に設置されているとともに、そのガイドレールの先端縁際に、強く打ち込まれた遊技球をはね返すための返し部材（返しゴム）が設置されている。また、パチンコ機の中には、所定のタイミングで遊技球を遊技領域の右サイドに強く打ち込むことによって特典が得られるように構成された所謂“右打ち”タイプのパチンコ機がある。かかる右打ちタイプのパチンコ機は、返しゴムに対向する位置に複数の障害釘が並べて設置されており、それらの障害釘によって、返しゴムで跳ね返された遊技球を下方へ落下させることにより、遊技球が遊技領域の左サイドを流下しないように構成されている。
【０００３】
ところが、そのような返しゴムと対向する位置に障害釘を並べて設置した右打ちタイプのパチンコ機においては、長期間に亘って使用すると、返しゴムによって跳ね返された遊技球を受ける障害釘が損傷してしまうことがあった。それゆえ、右打ちタイプのパチンコ機の中には、特許文献１の如く、返しゴムによって跳ね返された遊技球を所定の方向へ誘導するための誘導部材を設置したものもある。
【０００４】
【特許文献１】特開平８−３２２９８８号公報
【発明の開示】
【発明が解決しようとする課題】
【０００５】
しかしながら、上記の如く誘導部材を設置したパチンコ機は、誘導部材を設置するために盤面上に大きなスペースが必要とされる上、誘導部材に衝突した後の遊技球の流下方向が一定のものとなり易いため、遊技内容が限定されてしまう、という不具合がある。
【０００６】
本発明の目的は、上記従来のパチンコ機が有する問題点を解消し、長期間に亘って遊技球が返し部材に衝突し続けた場合でも、返し部材と対向する障害釘の損傷を効果的に防止することができる上、返し部材に衝突した後の遊技球の落下方向を制限せず、遊技内容をバラエティに富んだものとすることが可能なパチンコ機を提供することにある。
【課題を解決するための手段】
【０００７】
本発明の内、請求項１に記載された発明は、発射装置によって打ち込まれた遊技球を遊技領域の上方へ導くためのガイドレールが遊技盤に設置されているとともに、打ち込まれた遊技球をはね返すための返し部材が、前記ガイドレールの先端縁際に設置されたパチンコ機であって、前記返し部材が、表面から裏面へ貫通した円柱状の係止孔を設けたものであり、その係止孔に、前記遊技盤に対して直交するように設けられた柱状ボスを挿通させた状態で設置されているとともに、前記返し部材の遊技球衝突面に凹凸が形成されていることを特徴とするものである。
【０００８】
請求項２に記載された発明は、請求項１に記載された発明において、前記凹凸が、前記返し部材の遊技球衝突面に水平なＶ字状あるいはＵ字状の溝を設けることによって形成されていることを特徴とするものである。
【０００９】
請求項３に記載された発明は、請求項１、または請求項２に記載された発明において、前記凹凸が、前記返し部材の本体に複数の棒状突起体を植設することによって形成されていることを特徴とするものである。
【発明の効果】
【００１０】
請求項１に記載のパチンコ機は、打ち込まれた遊技球が返し部材に衝突した際に、遊技球衝突面に形成された凹凸が遊技球による衝撃を効果的に低減する。また、遊技球衝突面に形成された凹凸が、衝突した後の遊技球の跳ね返り方向をランダムに変化させることによって、同じ障害釘に遊技球が衝突する事態を防止する。したがって、長期間に亘って使用される場合でも、返し部材と対向した障害釘の損傷を効果的に防止することができる。
【００１１】
請求項２に記載のパチンコ機は、返し部材の遊技球衝突面に形成された水平なＶ字状あるいはＵ字状の溝からなる凹凸によって、返し部材への遊技球の衝突時の衝撃をきわめて効果的に低減することができる。
【００１２】
請求項３に記載のパチンコ機は、返し部材の遊技球衝突面に形成された複数の棒状突起体からなる凹凸によって、返し部材への遊技球の衝突時の衝撃をきわめて効果的に低減することができる。
【発明を実施するための最良の形態】
【００１３】
以下、本発明のパチンコ機について、図面にしたがって詳細に説明する。図１は、本発明に係るパチンコ機を示したものであり、パチンコ機１は、機枠２の片側縁に、前面枠３が開閉自在に蝶着されており、前面枠３の中央よりやや上側の後方には、遊技盤４が設置されている。図２は、遊技盤４を示したものであり、遊技盤４の表面には、発射装置によって発射された遊技球を遊技盤４の上方まで導くための金属製で帯状のガイドレール８が円弧状に立設されており、当該ガイドレール８によって、略円形の遊技領域１０が区画された状態になっている。そして、ガイドレール８の先端（右側上方の部分）と隣接した位置には、ガイドレール８に沿って右サイドへ跳躍した遊技球をはね返すための返し部材１１が設置されている。
【００１４】
また、図１に示すように、遊技領域１０には、図柄表示装置１９、大入賞口２０、入賞装置２１，２１・・、電飾ランプ、風車等が設置されているとともに、多数の障害釘９，９・・等が植設されている（なお、図２においては、図柄表示装置１９、大入賞口２０、入賞装置２１，２１・・、電飾ランプ、風車、障害釘９，９・・等の記載が省略されている）。一方、前面枠３の下側には、遊技球を発射装置（図示せず）へ供給するための供給皿５が設置されており、その供給皿５の右下方には、発射装置を操作するための発射ハンドル７が突設されている。
【００１５】
図３は、返し部材１１の設置部位を示したものであり、図４は、返し部材１１の設置部分の鉛直断面（図３におけるＡ−Ａ線断面）を示したもの（返し部材１１と遊技盤４とを別々に示したもの）である。また、図５は、返し部材１１の斜視説明図である。返し部材１１は、シリコーンゴムによって扁平な柱状（遊技盤４の盤面に対して垂直な方向を高さ方向とした扁平な柱状）に一体的に成形されている。そして、上部の左側面（すなわち、遊技球衝突面１６）には、遊技球の衝突時の衝撃を緩和するための水平なＶ字状の溝１７が設けられている。なお、溝１７の幅は約１０ｍｍになっており、溝１７の深さは、約３ｍｍになっている。
【００１６】
また、返し部材１１の中央よりやや下側（溝の右下方）には、係止孔１２が穿設されている。係止孔１２は、略円柱状であり、返し部材１１の表面から裏面へと貫通した状態になっている。そして、図４（ａ）の如く、係止孔１２の内壁には、複数本の溝が刻設されており、大径部１３および小径部１４が形成された状態になっている。なお、小径部１４、大径部１３の直径は、それぞれ、約６．０ｍｍ、約６．５ｍｍになっている。
【００１７】
一方、返し部材１１の設置部分においては、遊技盤４の表面に、柱状ボス２２が立設されている（遊技盤４の盤面に一体的に設けられている）。図６は、図４（ｂ）におけるＢ−Ｂ線断面を示したものであり、上側の柱状ボス２２は、十字状の断面を有している。そして、幅（図６におけるａ）、高さ（図６におけるｂ）がいずれも約６．１ｍｍになっている。そして、返し部材１１は、係止孔１２内に、柱状ボス２２を差し込んだ状態で、ガイドレール８の端縁際に設置されている。
【００１８】
上記の如く構成されたパチンコ機１においては、発射ハンドル７の回動操作によって発射装置（図示せず）から遊技球が発射され、発射された遊技球が所定の入賞装置２１に入賞した場合に、内部に設置された制御装置において抽選が実行され、抽選の結果、「大当たり」になった場合には、図柄表示装置１９に所定の「大当たり図柄」が表示された後に、右サイドに設置された入賞装置２１に入賞することを条件として、大入賞口２０が所定回数だけ断続的に開成する。したがって、遊技者は、「大当たり」が発生した場合には、発射ハンドル７を大きく回動させて遊技球を強く発射して右サイドの入賞装置２１に入賞させることによって、多くの賞品球を獲得することができる。
【００１９】
そして、そのように遊技者が所謂“右打ち”を実施した場合には、打ち込まれた遊技球が返し部材１１の遊技球衝突面１６に衝突するが、その際に、水平なＶ字状の溝１７によって、遊技球の勢いが効果的に減殺される。そのため、対向する（隣接する）障害釘９が損傷する、という事態が起こらない。
【００２０】
パチンコ機１は、上記の如く、返し部材１１が、表面から裏面へ貫通した円柱状の係止孔１２を設けたものであり、その係止孔１２に、遊技盤４に突設された柱状ボス２２を挿通させた状態で設置されているとともに、返し部材１１の遊技球衝突面１６に凹凸が形成されているため、打ち込まれた遊技球が返し部材１１に衝突した際に、遊技球衝突面１６の凹凸が遊技球による衝撃を効果的に低減する。したがって、長期間に亘って使用される場合でも、返し部材１１と対向した障害釘９の損傷を効果的に防止することができる。
【００２１】
また、パチンコ機１は、返し部材１１の遊技球衝突面１６の凹凸が水平なＶ字状の溝１７からなるものであるので、返し部材１１への遊技球の衝突時の衝撃をきわめて効果的に低減することができる。
【００２２】
加えて、パチンコ機１は、柱状ボス２２，２３が断面十字状に形成されており、返し部材１１の係止孔１２が大径部１３と小径部１４とを有しているとともに、係止孔１５が大径部１６と小径部１７とを有しているため、係止孔１２，１３と柱状ボス２２，２３との接触面積が小さいので、遊技盤４への返し部材１１の取り付け、取り外しが非常に容易である。
【００２３】
なお、本発明のパチンコ機の構成は、上記実施形態の態様に何ら限定されるものではなく、機枠、前面枠、遊技盤、供給皿、発射ハンドル、ガイドレール、返し部材等の形状、構造、材質等の構成を、本発明の趣旨を逸脱しない範囲で適宜変更できる。
【００２４】
たとえば、返し部材は、上記実施形態の如く、シリコーンゴムによって形成されたものに限定されず、合成ゴム、天然ゴム等の他の弾性素材によって形成されたものや、高分子ゲルのような熱可塑性の樹脂によって形成されたもの等に変更することも可能である。加えて、返し部材を合成ゴムによって形成する場合には、合成ゴムとして、ポリブタジエン系、ブタジエン・アクリロニトリル系、クロロプレン系のもの等を好適に用いることができる。具体的には、アクリルゴム（ＡＣＭ）、アクリロニトリルブタジエンゴム（ニトリルゴム  ＮＢＲ）、イソプレンゴム（ＩＲ）、ウレタンゴム（Ｕ）、エチレンプロピレンゴム（ＥＰＭ，ＥＰＤＭ）、エピクリルヒドリンゴム（ＣＯ，ＥＣＯ）、クロロプレンゴム（ＣＲ）、シリコーンゴム（Ｑ）、スチレンブタジエンゴム（ＳＢＲ）、多硫化ゴム（Ｔ）、ブタジエンゴム（ＢＲ）、ブチルゴム（ＩＩＲ）、フッ素ゴム（ＦＫＭ）、塩素化ポリエチレン（ＣＰＥ）、クロロスルフォン化ポリエチレン（ＣＳＭ）等や、それらのゴムをブレンドしたもの、あるいは、それらのゴムの一部に高分子ゲルのようなゲル素材をブレンドしたもの等を好適に用いることができる。
【００２５】
また、返し部材は、遊技球衝突面の表層を軟質の合成樹脂等の素材によって形成するとともにその他の部分を硬質の合成樹脂や金属等等によって形成してなる複合的なものとすることも可能である。また、そのように、返し部材を複合的なものとする場合には、一体的に形成することも可能であるし、表層部分を接着剤等により貼り合わせることによって形成することも可能である。また、本体に棒状突起体を植設した返し部材を用いる場合には、棒状突起体を形成する素材（合成樹脂の種類等）を変更することによって遊技球の緩衝機能を調整することが可能となる。そのように棒状突起体を形成する素材を選択する際には、遊技球の衝突によって変形しない素材を選択することが好ましい。
【００２６】
さらに、返し部材は、２つの係止孔を利用して遊技盤に設置するものに限定されず、１つの係止孔あるいは３つ以上の係止孔を利用して遊技盤に設置するものでも良い。加えて、返し部材は、上記実施形態の如く、液滴状の鉛直断面を有する扁平な柱状に形成されたものに限定されず、単純な楕円形状のものや角柱状のもの等でも良い。
【００２７】
また、返し部材の遊技球衝突面に形成される凹凸は、上記実施形態の如く、１つの水平なＶ字状の溝からなるものに限定されず、図７の如く、複数の水平なＶ字状の溝２４，２４・・からなるもの、図８の如く、１つの水平なＵ字状の溝２５からなるもの、複数の水平なＵ字状の溝からなるものや、鉛直なＶ字状あるいはＵ字状の溝からなるものに変更することも可能である。
【００２８】
さらに、返し部材は、図９の如く、係止孔を穿設した本体２７の遊技球衝突側に多数の棒状突起体２８，２８・・を植設したもの（すなわち、歯ブラシの如き形状を有するもの）に変更することも可能である。なお、返し部材を、上記の如く、本体２７の遊技球衝突側に多数の棒状突起体２８，２８・・を植設したものとする場合には、図１０（ａ）〜（ｃ）の如く、棒状突起体２８，２８・・の先端によって形成される面と遊技盤４の盤面との角度が鋭角（９０°未満の角度）となるように、棒状突起体２８，２８・・の長さを調整（外側の棒状突起体２８，２８・・が内側の棒状突起体２８，２８・・より長くなるように調整）することも可能である。（なお、図１１（ａ）は、全ての棒状突起体２８，２８・・の先端によって平面Ｐが形成されており当該平面Ｐと遊技盤４の盤面との角度が鋭角となるように調整されたものであり、図１１（ｂ）は、遊技盤４に近い側の半分の棒状突起体２８，２８・・の先端によって平面Ｐ’が形成されており当該平面Ｐ’と遊技盤４の盤面との角度が鋭角となるように調整されたものであり、図１１（ｃ）は、全ての棒状突起体２８，２８・・の先端によって曲面Ｐ”が形成されており当該曲面Ｐ”と遊技盤４の盤面との角度が鋭角となるように調整されたものである）。そのように棒状突起体２８，２８・・の長さを調整した場合には、棒状突起体２８，２８・・の先端によって形成される面（Ｐ，Ｐ’，Ｐ”）に衝突した遊技球が、遊技盤４の方向に跳ね返されるため、遊技球の勢いをより効果的に減殺することができる、というメリットがある。
【００２９】
加えて、返し部材は、遊技球衝突面（係止孔を穿設した本体と一体的に設けた遊技球衝突面）の少なくとも一部に傾斜面（遊技球の跳躍方向に対して傾斜した傾斜面）を設け、その傾斜面と遊技盤の盤面との角度が鋭角となるように構成することも可能である。かかる構成を採用した場合でも、上記の如く棒状突起体の先端によって形成される面と遊技盤の盤面との角度を鋭角にした場合と同様に、遊技球衝突面に衝突した遊技球を遊技盤の方向に跳ね返すことによって遊技球の勢いをより効果的に減殺することができる、というメリットがある。
【００３０】
加えて、返し部材は、図１１の如く、遊技球衝突面１６に複数の孔（円柱状の凹部）３０，３０・・を穿設したもの、図１２の如く、遊技球衝突面１６に角錐状の窪み３２を設けたものや、図１３の如く、遊技球衝突面に球面状の窪み３３を設けたもの等に変更することも可能である。なお、返し部材を、上記の如く、遊技球衝突面に角錐状あるいは球面状の窪みを設けたものとする場合には、遊技球衝突面の幅方向の中心の深さが最大になるように調整すると、遊技球の勢いをよりきわめて効果的に減殺することが可能となる。
【００３１】
一方、返し部材を係着する柱状ボスは、上記実施形態の如く、直接的に遊技盤に立設したものに限定されず、返し部材の外面（遊技盤側と反対の面）を覆う遊技部材（コーナー飾り等）を遊技盤に設けるとともに、その遊技部材の遊技盤と対向した内面に、遊技盤面に対して直交するように柱状ボスを突設することも可能である。
【００３２】
また、遊技盤は、上記実施形態の如く、返し部材によって跳ね返された遊技球が種々の方向へ流下するように構成されたものに限定されず、図１４の如く、返し部材１１の近傍に遊技部材（遊技盤面と直交する外周面を有するもの）が設けられており、跳ね返された遊技球の流下方向が一定となるように構成されたものに変更することも可能である。かかる構成を採用した場合には、右打ちタイプのパチンコ機を設計し易くなる、というメリットがある。
【図面の簡単な説明】
【００３３】
【図１】パチンコ機の正面図である。
【図２】遊技盤を簡略化して示す説明図である。
【図３】返し部材の設置部分を示す説明図である。
【図４】返し部材および遊技盤の鉛直断面（図３におけるＡ−Ａ線断面）を示す説明図である（ａは返し部材の鉛直断面であり、ｂは遊技盤の鉛直断面である）。
【図５】返し部材の水平断面（図３におけるＢ−Ｂ線断面）を示す説明図である。
【図６】柱状ボスの鉛直断面（図４におけるＣ−Ｃ線断面）を示す説明図である。
【図７】返し部材の変更例を示す説明図である（ａは正面図であり、ｂは左側から見た斜視図である）。
【図８】返し部材の変更例を示す説明図である（ａは正面図であり、ｂは左側から見た斜視図である）。
【図９】返し部材の変更例を示す説明図である（ａは正面図であり、ｂは左側から見た斜視図である）。
【図１０】返し部材の変更例を示す説明図である（ａ〜ｃはいずれも平面図である）。
【図１１】返し部材の変更例を示す説明図である（ａは正面図であり、ｂは左側から見た斜視図である）。
【図１２】返し部材の変更例を示す説明図である（ａは正面図であり、ｂは左側から見た斜視図である）。
【図１３】返し部材の変更例を示す説明図である（ａは正面図であり、ｂは左側から見た斜視図である）。
【図１４】遊技盤の変更例を簡略化して示す説明図である。
【符号の説明】
【００３４】
１・・パチンコ機
４・・遊技盤
７・・発射ハンドル
８・・ガイドレール
９・・障害釘
１０・・遊技領域
１１・・返し部材
１２・・係止孔
１６・・遊技球衝突面
１７，２４，２５・・溝
２２・・柱状ボス
３０・・孔
３２，３３・・窪み
【図１】
2009131498.tif 000003
【図２】
2009131498.tif 000004
【図３】
2009131498.tif 000005
【図４】
2009131498.tif 000006
【図５】
2009131498.tif 000007
【図６】
2009131498.tif 000008
【図７】
2009131498.tif 000009
【図８】
2009131498.tif 000010
【図９】
2009131498.tif 000011
【図１０】
2009131498.tif 000012
【図１１】
2009131498.tif 000013
【図１２】
2009131498.tif 000014
【図１３】
2009131498.tif 000015
【図１４】
2009131498.tif 000016